(57)【要約】【課題】  レンズとメガネ足との組合せの強度および安定性が向上し、メガネを安定して掛けることができるメガネの組合せ構造を提供する。【解決手段】  レンズ１には第一貫通孔１１および第二貫通孔１２が開いており、鼻掛け枠２は水平ロッド２１を有し、水平ロッド２１にはカラー２１１が嵌着してあり、水平ロッド２１の両端が別々に嵌着部２２に湾折され、レンズ１が鼻掛け枠２によって連接され、連結枠３は一端が別々に固定部３１に湾折され、他端が別々に連結端３２に湾折され、各連結端３２は湾折された箇所で止め部２２１が形成され、結合台４は第一結合孔４１と第二結合孔４２とが別々に開いており、各結合台４が連結端３２に固定され、メガネ足５は第二結合孔４２に挿入して結合しその一端がほぼ９０度に湾折して挿通段５１になり、他端が別々にロッドに延長し、挿通段５１に近接する箇所は止め部３２２に止められる。【選択図】    図１
0003105133.tif 000002
【実用新案登録請求の範囲】
【請求項１】
レンズと、鼻掛け枠と、連結枠と、結合台と、メガネ足とから構成されるメガネの組合構造において、
前記レンズは二つあり、レンズが隣接する内側にはそれぞれ長形の第一貫通孔が開いており、前記第一貫通孔の反対側にはそれぞれ長形の第二貫通孔が開いており、
前記鼻掛け枠は一つあり、金属で作製されるワイヤを湾折してなるものであり、円弧度を持つ水平ロッドを有し、滑り止めのために前記水平ロッドにはカラーが嵌着してあり、前記各レンズの第一貫通孔に嵌着するために、前記水平ロッドの両端が別々にＵ字形の嵌着部に湾折され、前記レンズが前記鼻掛け枠によって連接され、
前記連結枠は二つあり、金属で作製されるワイヤを湾折してなるものであり、前記各レンズの第二貫通孔に嵌着するために、前記各連結枠の一端が別々にＵ字形の固定部に湾折され、前記各連結枠の他端が別々にＵ字形の連結端に湾折され、前記各連結端はＵ字形に湾折された箇所で止め部が形成され、
前記結合台は二つあり、水平な第一結合孔と鉛直な第二結合孔とが別々に開いており、前記各第一結合孔が前記各結合台の相対的な外側に位置し、前記各第二結合孔が前記各結合台の相対的な内側に位置し、前記各第一結合孔は前記連結枠の連結端の末端が挿通し固定するためのものであり、それにより前記各結合台が前記連結枠の連結端に固定され、
前記メガネ足は二つあり、金属で作製されるワイヤを湾折してなるものであり、前記各結合台の第二結合孔に挿入して結合し枢設するようにその一端がほぼ９０度に湾折して挿通段になり、使用者の耳に掛けるために前記メガネ足の他端が別々にロッドに延長し、且つ前記メガネ足のロッドの挿通段に近接する箇所は、前記各連結枠の連結端の止め部に止められることを特徴とするメガネの組合構造。
【請求項２】
前記鼻掛け枠の嵌着部のＵ字形部の開放側の幅は前記レンズの第一貫通孔よりも広く、弾力により前記嵌着部が前記第一貫通孔に嵌着可能であることを特徴とする請求項１に記載のメガネの組合構造。
【請求項３】
前記鼻掛け枠の嵌着部のＵ字形に湾折された末端にはそれぞれ止め端を有することを特徴とする請求項１に記載のメガネの組合構造。
【請求項４】
前記連結枠の固定部のＵ字形部の開放側の幅は前記レンズの第二貫通孔よりも広いため、弾力により前記固定部が前記第二貫通孔に嵌着可能であることを特徴とする請求項１に記載のメガネの組合構造。
【請求項５】
前記連結枠の固定部のＵ字形に湾折された末端にはそれぞれ止め端を有することを特徴とする請求項１に記載のメガネの組合構造。
【請求項６】
前記各連結枠の連結端の末端の両側には別々に翼部が突設してあり、前記翼部に応じて前記各結合台の第一結合孔の内部には別々に窪み部が設けてあることを特徴とする請求項１に記載のメガネの組合構造。
【請求項７】
前記各結合台の第二結合孔の一端にある開口では円錐状口が形成され、前記各メガネ足の挿通段の末端には前記円錐状口とぴったりと合う円錐状端が別々に形成してあることを特徴とする請求項１に記載のメガネの組合構造。
【請求項８】
使用者の耳部に掛けるために、前記各メガネ足のロッドがそれぞれ鉤部に湾折されることを特徴とする、請求項１に記載のメガネの組合構造。
【請求項９】
前記鼻掛け枠と、前記連結枠と、前記メガネ足とは全てチタン合金を素材として作製されたものであることを特徴とする請求項１に記載のメガネの組合構造。
【請求項１０】
前記水平ロッドに嵌められるカラーは樹脂を素材として作製されたものであることを特徴とする請求項１に記載のメガネの組合構造。
【考案の詳細な説明】
【技術分野】
【０００１】
本考案はメガネの組合せ構造に係り、特に枠が付けられないレンズの鼻掛け枠とメガネ足との組合せがさらに簡単で安定し、且つレンズと目との相関位置が正確な位置に維持できるメガネの組合せ構造に関するものである。
【背景技術】
【０００２】
従来の枠レスメガネは、レンズに枠が付けられないので鼻掛け枠とメガネ足とがレンズに直接に組み合わされ、図９に示すように、レンズ７が隣接する内側にはそれぞれ長形の貫通孔７１が開いており、前記貫通孔７１の反対側にもそれぞれ長形の貫通孔７１が開いており、レンズ７の隣接する内側に開けられた貫通孔７１に挿通し固定するためにワイヤで湾折した前記鼻掛け枠８にはＵ字形の挿通部８１が形成され、且つ鼻に掛けるために前記鼻掛け枠８には鼻パッドを有し、メガネ足９が足枠９１によって前記レンズ７の相対的な外側に結合され、前記各メガネ足９はワイヤで湾折され、Ｕ字形の挿通部９１１と結合部９１２とが形成され、前記各挿通部９１１は別々に前記レンズ７の相対的な外側に開けた貫通孔７１に挿通し固定され、前記各結合部９１２は前記各メガネ足９と結合するための箇所であり、前記各メガネ足９はワイヤで湾折され、足枠９１の結合部９１２に嵌めるためにその一端がコイル状に湾折され、使用者の耳部に掛けるためにその他端が鉤状に湾折され、使用者が上記のようなメガネを掛けると前記レンズ７が使用者の目の前の適当な位置に保持することができる。
【０００３】
しかしながら、これは次のような欠点があった。
メガネを掛けるときにはレンズと目が平行になり、且つレンズの下縁と目との間にはほぼ指を挿入できる広さを保持するが、図１０に示すように従来のメガネは、鼻パッド８２を調整することによりレンズ７と目との間の平行度および距離を調整するものであり、各使用者の鼻の形状に若干の差があるのでレンズ７を鼻パッド８２によって調整することが難しく、且つ鼻パッド８２が外力によってずれることがよくあるのでレンズ７を頻繁に調整することが必要であり、長期間鼻パッド８２を鼻に掛けることは不快である。
【０００４】
そして、メガネ足９の一端がコイル状に湾折して足枠９１の結合部９１２に嵌められるのでその構造は簡単でメガネ足９が弛緩した状態になる原因であり、且つメガネ足９と足枠９１との間にはストップ機構が設けられていないので、メガネ足９が広がりすぎになり易く、メガネを安定して掛けることができない。
【考案の開示】
【考案が解決しようとする課題】
【０００５】
よって本考案の主な目的は、メガネ足が広がりすぎになることがなく、メガネを安定して掛けることができるメガネの組合せ構造を提供することである。
本考案の次の目的は、嵌着部と固定部とをレンズに組合せるときに、嵌着部と固定部とが行過ぎることがなくなるメガネの組合せ構造を提供することである。
本考案のもう一つの目的は、レンズとメガネ足との組合せの強度および安定性が向上し、メガネを安定して掛けることができるメガネの組合せ構造を提供することである。
【課題を解決するための手段】
【０００６】
上記欠点を解決するためになされた本考案は、レンズと、鼻掛け枠と、連結枠と、結合台と、メガネ足とから構成されるメガネの組合せ構造において、前記レンズは二つあり、レンズが隣接する内側にはそれぞれ長形の第一貫通孔が開いており、前記第一貫通孔の反対側にはそれぞれ長形の第二貫通孔開いており、前記鼻掛け枠は一つあり、金属で作製されるワイヤを湾折してなるものであり、円弧度を持つ水平ロッドを有し、滑り止めのために前記水平ロッドにはカラーが嵌着してあり、前記各レンズの第一貫通孔に嵌着するために前記水平ロッドの両端が別々にＵ字形の嵌着部に湾折され、前記レンズが前記鼻掛け枠によって連接され、前記連結枠は二つあり、金属で作製されるワイヤを湾折してなるものであり、前記各レンズの第二貫通孔に嵌着するために前記各連結枠の一端が別々にＵ字形の固定部に湾折され、前記各連結枠の他端が別々にＵ字形の連結端に湾折され、前記各連結端はＵ字形に湾折された箇所で止め部が形成され、前記結合台は二つあり、水平な第一結合孔と鉛直な第二結合孔とが別々に開いており、前記各第一結合孔が前記各結合台の相対的な外側に位置し、前記各第二結合孔が前記各結合台の相対的な内側に位置し、前記各第一結合孔は前記連結枠の連結端の末端が挿通し固定するためのものであり、前記各結合台が前記連結枠の連結端に固定され、前記メガネ足は二つあり、金属で作製されるワイヤを湾折してなるものであり、前記各結合台の第二結合孔に挿入して結合し枢設するようにその一端がほぼ９０度に湾折して挿通段になり、使用者の耳に掛けるために前記メガネ足の他端が別々にロッドに延長し、且つ前記メガネ足のロッドの挿通段に近接する箇所は前記各連結枠の連結端の止め部に止められることを特徴とするメガネの組合せ構造であることを要旨としている。
【０００７】
本考案に係るメガネの組合せ構造によれば、次のような効果がある。
（イ）メガネ足が広がりすぎることがなく、メガネを安定して掛けることができる。
（ロ）嵌着部と固定部とをレンズに組合せるときに、嵌着部と固定部との行過ぎがなくなる。
（ハ）レンズとメガネ足との組合せの強度および安定性が向上し、メガネを安定して掛けることができる。
【考案を実施するための最良の形態】
【０００８】
以下、添付図面を参照して本考案の好適な一実施例を詳細に説明する。
図１乃至図６を参照する。本考案の一実施例に係るメガネの組合せ構造は、レンズ１と、鼻掛け枠２と、連結枠３と、結合台４と、メガネ足５とから構成される。
前記レンズ１は二つあり、レンズ１が隣接する内側にはそれぞれ長形の第一貫通孔１１が一つ開いており、前記第一貫通孔１１の反対側にはそれぞれ長形の第二貫通孔１２が一つ開いており、前記鼻掛け枠２は一つあり、金属で作製されるワイヤを湾折してなるものであり、本実施例では、前記鼻掛け枠２がチタン合金で作製されている。前記鼻掛け枠２は円弧度を持つ水平ロッド２１を有し、滑り止めのために前記水平ロッド２１にはカラー２１１が嵌着してあり、前記各レンズ１の第一貫通孔１１に嵌着するために前記水平ロッド２１の両端が別々にＵ字形の嵌着部２２に湾折され、前記レンズ１が前記鼻掛け枠２によって連接され、且つ前記鼻掛け枠２の嵌着部２２のＵ字形部の放す状態の幅は前記レンズ１の第一貫通孔１１よりも広いので弾力により前記嵌着部２２が前記第一貫通孔１１に嵌着することができ、レンズ１が前記鼻掛け枠２によって連接し、また、レンズ１を止めるために前記鼻掛け枠２の嵌着部２２のＵ字形に湾折された末端にはそれぞれ止め端２２１を有し、これにより前記各嵌着部２２の行過ぎがなくなる。
【０００９】
前記連結枠３は二つあり、金属で作製されるワイヤを湾折してなるものであり、本実施例では前記連結枠３がチタン合金で作製されたものである。前記連結枠３は、前記各レンズ１の第二貫通孔１２に嵌着するために前記各連結枠３の一端が別々にＵ字形の固定部３１に湾折され、前記各固定部３１のＵ字形部の放す状態の幅は前記レンズ１の第二貫通孔１２よりも広いので、弾力により前記固定部３１が前記第二貫通孔１２に嵌着することができ、レンズ１を止めるためにＵ字形に湾折される前記各固定部３１の末が別々に止め端３１１が形成されており、これにより前記各固定部３１の行過ぎがなくなり、前記各連結枠３の他端が別々にＵ字形の連結端３２に湾折され、前記各連結端３２はＵ字形に湾折された箇所で止め部３２２が形成され、前記各連結枠３の連結端３２の末端の両側には別々に翼部３２１が突設してある。
【００１０】
前記結合台４は二つあり、水平な第一結合孔４１と鉛直な第二結合孔４２とが別々に開いており、前記各第一結合孔４１が前記各結合台４の相対的な外側に位置し、前記各第二結合孔４２が前記各結合台４の相対的な内側に位置し、前記各第一結合孔４１は前記連結枠３の連結端３２の末端が挿通し固定するためのものであり、前記翼部３２１に応じて前記各結合台４の第一結合孔４１の内部には別々に窪み部４１１が設けてあり、それにより前記各結合台４が前記連結枠３の連結端３２に固定され、前記各結合台４の第二結合孔４２の一端にある開口では円錐状口４２１が形成される。
【００１１】
前記メガネ足５は二つあり、金属で作製されるワイヤを湾折してなるものであり、本実施例では前記連結枠３がチタン合金で作製されたものである。前記メガネ足５は前記各結合台４の第二結合孔４２に挿入して結合し枢設するように、その一端がほぼ９０度に湾折して挿通段５１になり、前記メガネ足５が前記結合台４と旋回自在に連接するために前記各メガネ足５の挿通段５１の末端には前記第二結合孔４２にある前記円錐状口４２１とぴったりと合う円錐状端５１１が別々に形成してあり、使用者の耳に掛けるために前記メガネ足５の他端が別々にロッドに延長し、本実施例では前記各メガネ足５の他端が別々に鉤部５２に湾折され、且つ前記メガネ足５のロッドの挿通段５１に近接する箇所は前記各連結枠３の連結端３２の止め部３２２に止められる。
【００１２】
本実施例に係るメガネの組合せ方法は、鼻掛け枠２の両端にある嵌着部２２を各レンズ１の第一貫通孔１１に挿入し、且つ前記各嵌着部２２がその自身の引張弾力によって前記第一貫通孔１１に嵌着し、これによりレンズ１が前記鼻掛け枠２によって連接され、前記連接枠３は湾折されないときに、図３に示すように、まず翼部３２１を有しない一端を前記各結合台４の第一結合孔４１に挿入し、第一結合孔４１の窪み部４１１に前記翼部３２１を嵌合した後、前記連接枠３を湾折して連結端３２と固定部３１とを順に形成し、図４に示すように、各レンズの第二貫通孔１２に前記各連結枠３の固定部３１を挿入し、且つ前記各固定部３１がその自身の引張弾力によって前記第二貫通孔１２に嵌着した後、メガネ足５が湾折されないときに、図５に示すように、まず円錐状端５１１の反対端を結合台４の第二結合孔４２に挿入して第二結合孔４２の円錐状口４２１に円錐状端５１１を嵌合した後、メガネ足５を湾折して挿通段５１と鉤部５２とを順序に形成し、それにより図６に示すようにメガネ足５がレンズ１の両側に組合され、メガネ全体の組合せが完成する。
【００１３】
本実施例に係るメガネの掛け方法は、使用者の鼻と額との間にある窪み部Ａに鼻掛け枠２の水平ロッド２１を掛け、図７に示すように、当該レンズ１を目と平行に保持し、且つレンズの下縁と目との間にはほぼ指を挿入できる広さを保持するように前記水平ロッド２１と嵌着部２２との距離を調整し、メガネ足５の鉤部５２を使用者の耳部に掛け、それにより使用者はメガネを安定して掛けることができる。
【００１４】
人間の鼻と額との間にある窪み部Ａと目との距離が同様なので、使用者の鼻と額の間にある窪み部Ａに鼻掛け枠２の水平ロッド２１を掛けるときにレンズ１と目との間の調整した距離が変更せず、且つ従来のもののように鼻形状の異なりによって鼻パッドを調整することも必要なく、レンズ１が正確な位置に位置され、且つ本考案は従来の鼻パッドを使用しないでレンズ１を掛けることができるので、メガネを長期間掛けても鼻パッドによる不快な感覚が全くない。
【００１５】
また、鼻掛け枠２の嵌着部２２と連結枠３の固定部３１とには止め端２１、３１１を有するので、レンズ１に組合せるときにそれらの行過ぎることがなくなる。
そして、前記各第一結合孔４１が前記各結合台４の相対的な外側に位置し、前記各第二結合孔４２が前記各結合台４の相対的な内側に位置するので、連結枠３とメガネ足５とを組合せるときに前記メガネ足５が連結枠３の内側に位置し、メガネ足５のロッドが各連結枠３の連結端３２の止め部３２２にストップされ、図８に示すように、メガネ足５が広がりすぎになることがなく、メガネを安定して掛けることができる。
また、前記メガネ足５は結合台４によって連結枠３と結合するので、レンズ１とメガネ足５との組合せの強度および安定性が向上し、メガネを安定して掛けることができる。
【図面の簡単な説明】
【００１６】
【図１】本考案の一実施例によるメガネの組合せ構造により組立てた状態を示す外観斜視図である。
【図２】本考案の一実施例によるメガネの組合せ構造を示す分解斜視図である。
【図３】本考案の一実施例によるメガネの組合せ構造の連結枠が湾折され結合台に挿通していない状態を示す外観斜視図である。
【図４】本考案の一実施例によるメガネの組合せ構造による連結枠が結合台を挿通して湾折された状態を示す外観斜視図である。
【図５】本考案の一実施例によるメガネの組合せ構造によるメガネ足が湾折され結合台に挿通していない状態を示す外観斜視図である。
【図６】本考案の一実施例によるメガネの組合せ構造によるメガネ足が結合台を挿通して湾折された状態を示す外観斜視図である。
【図７】本考案の一実施例によるメガネの組合せ構造による鼻掛け枠の水平ロッドが使用者の鼻と額とが連接する窪み部に跨る状態を示す側面図である。
【図８】本考案の一実施例によるメガネの組合せ構造によるメガネ足が連結枠の止め部に止められる状態を示す上面図である。
【図９】従来のメガネの組合せ構造を示す外観斜視図である。
【図１０】従来のメガネの組合せ構造の鼻パッドによってレンズを調整する状態を示す側面図である。
【符号の説明】
【００１７】
１  レンズ、１１  第一貫通孔、１２  第二貫通孔、２  鼻掛け枠、２１  水平ロッド、２１１  カラー、２２  嵌着部、２２１  止め端、３  連結枠、３１  固定部、３１１  止め端、３２  連結端、３２１  翼部、３２２  止め部、４  結合台、４１  第一結合孔、４１１  凹部、４２  第二結合孔、４２１  円錐状口、５  メガネ足、５１  挿通段、５１１  円錐状端、５２  鉤部、Ａ  窪み部
【図１】
0003105133.tif 000003
【図２】
0003105133.tif 000004
【図３】
0003105133.tif 000005
【図４】
0003105133.tif 000006
【図５】
0003105133.tif 000007
【図６】
0003105133.tif 000008
【図７】
0003105133.tif 000009
【図８】
0003105133.tif 000010
【図９】
0003105133.tif 000011
【図１０】
0003105133.tif 000012